(57)【要約】本発明の実施例は、セル選択方法、測定報告のトリガ方法、基地局及び端末機器を提供する。セル選択方法は、基地局が、端末機器に、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を通知するステップを含み、第１の補正因子集合は１つ又は１つ以上の補正因子を含み、第２の補正因子集合は１つ又は１つ以上の補正因子を含み、１つの補正因子は所定の移動速度に対応し、１つ以上の補正因子の各補正因子は異なる移動速度にそれぞれ対応する。これによって、基地局が端末機器に隣接セル及びサービングセルのサイズを通知する必要がなく、シグナリング負荷が小さくなる。セル再選択において再選択されたセルの選択を最適化することができ、システム全体のスペクトル利用効率を向上できると共に、ユーザのサービス品質を確保できる。【選択図】図２
2014534747.tif 000002
【特許請求の範囲】
【請求項１】
基地局が、端末機器に、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を通知するステップを含み、
前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、
セル選択方法。
【請求項２】
前記第１の補正因子集合に含まれる補正因子は、前記サービングセルの周波数についての補正因子及び／又は各セルについての補正因子であり、
前記第２の補正因子集合に含まれる補正因子は、前記隣接セルの周波数についての補正因子及び／又は各セルについての補正因子である、
請求項１に記載のセル選択方法。
【請求項３】
前記基地局が、ネットワーク側の機能エンティティから送信された前記第１の補正因子集合及び／又は前記第２の補正因子集合を受信するステップ、をさらに含む、
請求項１又は２に記載のセル選択方法。
【請求項４】
前記第１の補正因子集合における補正因子及び前記第２の補正因子集合における補正因子は、任意の値である、
請求項１又は２に記載のセル選択方法。
【請求項５】
セルのサイズが比較的に大きい場合、端末機器の速度が速いほど、前記補正因子が大きく、セルのサイズが比較的に小さい場合、端末機器の速度が速いほど、前記補正因子が小さい、
請求項４に記載のセル選択方法。
【請求項６】
端末機器が、サービングセルの基地局により通知された、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を受信するステップと、
前記端末機器の移動状態に基づいて、前記第１の補正因子集合及び／又は前記第２の補正因子集合から対応する補正因子を選択するステップと、
選択された補正因子により、サービングセル及び／又は隣接セルに対する評価結果をそれぞれ補正して、補正された前記サービングセル及び／又は隣接セルの評価結果を取得するステップと、
前記補正された評価結果により、セルの再選択を行うステップと、を含み、
前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、
セル選択方法。
【請求項７】
前記第１の補正因子集合に含まれる補正因子は、前記サービングセルの周波数についての補正因子及び／又は各セルについての補正因子であり、
前記第２の補正因子集合に含まれる補正因子は、前記隣接セルの周波数についての補正因子及び／又は各セルについての補正因子である、
請求項６に記載のセル選択方法。
【請求項８】
選択された補正因子により、サービングセル及び隣接セルに対する評価結果をそれぞれ補正するステップにおいて、
選択された補正因子と前記評価結果とを加算して、補正された前記サービングセル及び／又は隣接セルの評価結果を取得する、
請求項６に記載のセル選択方法。
【請求項９】
端末機器に、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を通知する第１の通知手段を含み、
前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、
基地局。
【請求項１０】
前記第１の補正因子集合に含まれる補正因子は、前記サービングセルの周波数についての補正因子及び／又は各セルについての補正因子であり、
前記第２の補正因子集合に含まれる補正因子は、前記隣接セルの周波数についての補正因子及び／又は各セルについての補正因子である、
請求項９に記載の基地局。
【請求項１１】
ネットワーク側の機能エンティティから送信された前記第１の補正因子集合及び／又は前記第２の補正因子集合を受信する第１の受信手段、をさらに含む、
請求項９又は１０に記載の基地局。
【請求項１２】
サービングセルの基地局により通知された、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を受信する第２の受信手段と、
前記端末機器の移動状態に基づいて、前記第１の補正因子集合及び／又は前記第２の補正因子集合から対応する補正因子を選択する第１の選択手段と、
前記第１の選択手段により選択された補正因子により、サービングセル及び／又は隣接セルに対する評価結果をそれぞれ補正して、補正された前記サービングセル及び／又は隣接セルの評価結果を取得する第１の補正手段と、
前記補正された評価結果により、セルの再選択を行う再選択手段と、を含み、
前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、
端末機器。
【請求項１３】
前記第１の補正因子集合に含まれる補正因子は、前記サービングセルの周波数についての補正因子及び／又は異なるセルについての補正因子であり、
前記第２の補正因子集合に含まれる補正因子は、前記隣接セルの周波数についての補正因子及び／又は異なるセルについての補正因子である、
請求項１２に記載の端末機器。
【請求項１４】
基地局が、端末機器に、サービングセルの測定結果を補正するための第３の補正因子集合及び／又は隣接セルの測定結果を補正するための第４の補正因子集合を通知するステップを含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
測定報告のトリガ方法。
【請求項１５】
前記端末機器により報告された、サービングセル及び／又は隣接セルの補正されていない測定結果を含む測定報告を受信するステップ、をさらに含む、
請求項１４に記載の測定報告のトリガ方法。
【請求項１６】
基地局が、端末機器に、サービングセルの測定結果を補正するための第３の補正因子集合及び／又は隣接セルの測定結果を補正するための第４の補正因子集合を通知するステップと、
前記端末機器により報告された、サービングセル及び／又は隣接セルの補正されていない測定結果を含む測定報告を受信するステップと、
前記測定報告に基づいて、ネットワーク側の他のエンティティと協議して、前記端末機器のハンドオーバのための目標セルを選択し、前記端末機器に選択された目標セルを含む情報を通知するステップと、を含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
セル選択方法。
【請求項１７】
前記第３の補正因子集合に含まれる補正因子は、前記サービングセルの周波数についての補正因子及び／又は各セルについての補正因子であり、
前記第４の補正因子集合に含まれる補正因子は、前記隣接セルの周波数についての補正因子及び／又は各セルについての補正因子である、
請求項１４又は１６に記載のセル選択方法。
【請求項１８】
前記基地局が、ネットワーク側の機能エンティティから送信された前記第３の補正因子集合及び／又は前記第４の補正因子集合を受信するステップ、をさらに含む、
請求項１４又は１６に記載のセル選択方法。
【請求項１９】
前記第３の補正因子集合における補正因子及び前記第４の補正因子集合における補正因子は、任意の値である、
請求項１４又は１６に記載のセル選択方法。
【請求項２０】
セルのサイズが比較的に大きい場合、端末機器の速度が速いほど、前記補正因子が大きく、セルのサイズが比較的に小さい場合、端末機器の速度が速いほど、前記補正因子が小さい、
請求項１９に記載のセル選択方法。
【請求項２１】
端末機器が、サービングセルの基地局により通知された、サービングセルの測定結果を補正するための第３の補正因子集合及び／又は隣接セルの測定結果を補正するための第４の補正因子集合を受信するステップと、
前記端末機器の移動状態に基づいて、前記第３の補正因子集合及び前記第４の補正因子集合から対応する補正因子を選択するステップと、
選択された補正因子により、前記サービングセル及び／又は隣接セルの測定結果を補正して、補正された前記サービングセル及び／又は隣接セルの測定結果を取得するステップと、
前記補正された測定結果に基づいて、トリガイベントに対応するトリガ条件が満たされたか否かを判断するステップと、
前記トリガ条件が満たされた場合、前記基地局に補正されていない測定結果を報告するステップと、を含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
測定報告のトリガ方法。
【請求項２２】
端末機器が、サービングセルの基地局により通知された、サービングセルの測定結果を補正するための第３の補正因子集合及び／又は隣接セルの測定結果を補正するための第４の補正因子集合を受信するステップと、
前記端末機器の移動状態に基づいて、前記第３の補正因子集合及び前記第４の補正因子集合から対応する補正因子を選択するステップと、
選択された補正因子により、前記サービングセル及び／又は隣接セルの測定結果を補正して、補正された前記サービングセル及び／又は隣接セルの測定結果を取得するステップと、
前記補正された測定結果に基づいて、トリガイベントに対応するトリガ条件が満たされたか否かを判断するステップと、
前記トリガ条件が満たされた場合、前記基地局に補正されていない測定結果を報告するステップと、
前記測定結果に基づいて前記基地局により返された、選択された目標セルを含む情報を受信するステップと、
前記情報に基づいてハンドオーバのための目標セルを決定するステップと、を含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
セル選択方法。
【請求項２３】
前記第３の補正因子集合に含まれる補正因子は、前記サービングセルの周波数についての補正因子及び／又は各セルについての補正因子であり、
前記第４の補正因子集合に含まれる補正因子は、前記隣接セルの周波数についての補正因子及び／又は各セルについての補正因子である、
請求項２１又は２２に記載の方法。
【請求項２４】
前記第３の補正因子集合における補正因子及び前記第４の補正因子集合における補正因子は、任意の値である、
請求項２１又は２２に記載の方法。
【請求項２５】
端末機器に、サービングセルの測定結果を補正するための第３の補正因子集合及び／又は隣接セルの測定結果を補正するための第４の補正因子集合を通知する第２の通知手段を含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
基地局。
【請求項２６】
前記第３の補正因子集合に含まれる補正因子は、前記サービングセルの周波数についての補正因子及び／又は各セルについての補正因子であり、
前記第４の補正因子集合に含まれる補正因子は、前記隣接セルの周波数についての補正因子及び／又は各セルについての補正因子である、
請求項２５に記載の基地局。
【請求項２７】
ネットワーク側の機能エンティティから送信された前記第３の補正因子集合及び／又は前記第４の補正因子集合を受信する第３の受信手段、をさらに含む、
請求項２５又は２６に記載の基地局。
【請求項２８】
前記端末機器により報告された、サービングセル及び／又は隣接セルの補正されていない測定結果を含む測定報告を受信する第４の受信手段、をさらに含む、
請求項２５に記載の基地局。
【請求項２９】
端末機器に、サービングセルの測定結果を補正するための第３の補正因子集合及び／又は隣接セルの測定結果を補正するための第４の補正因子集合を通知する第３の通知手段と、
前記端末機器により報告された、サービングセル及び／又は隣接セルの補正されていない測定結果を含む測定報告を受信する第５の受信手段と、
前記測定報告に基づいて、ネットワーク側の他のエンティティと協議して、前記端末機器のハンドオーバのための目標セルを選択し、前記端末機器に選択された目標セルを含む情報を通知する選択手段と、を含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
基地局。
【請求項３０】
サービングセルの基地局により通知された、サービングセルの測定結果を補正するための第３の補正因子集合及び／又は隣接セルの測定結果を補正するための第４の補正因子集合を受信する第６の受信手段と、
前記端末機器の移動状態に基づいて、前記第３の補正因子集合及び前記第４の補正因子集合から対応する補正因子を選択する第２の選択手段と、
選択された補正因子により、前記サービングセル及び／又は隣接セルの測定結果を補正して、補正された前記サービングセル及び／又は隣接セルの測定結果を取得する第２の補正手段と、
前記補正された測定結果に基づいて、トリガイベントに対応するトリガ条件が満たされたか否かを判断する第１の判断手段と、
前記第１の判断手段の判断結果として前記トリガ条件が満たされた場合、前記基地局に前記サービングセル及び／又は隣接セルの補正されていない測定結果を報告する第１の報告手段と、を含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
端末機器。
【請求項３１】
サービングセルの基地局により通知された、サービングセルの測定結果を補正するための第３の補正因子集合及び／又は隣接セルの測定結果を補正するための第４の補正因子集合を受信する第７の受信手段と、
前記端末機器の移動状態に基づいて、前記第３の補正因子集合及び前記第４の補正因子集合から対応する補正因子を選択する第３の選択手段と、
選択された補正因子により、前記サービングセル及び／又は隣接セルの測定結果を補正して、補正された前記サービングセル及び／又は隣接セルの測定結果を取得する第３の補正手段と、
前記補正された測定結果に基づいて、トリガイベントに対応するトリガ条件が満たされたか否かを判断する第２の判断手段と、
前記第２の判断手段の判断結果として前記トリガ条件が満たされた場合、前記基地局に前記サービングセル及び／又は隣接セルの補正されていない測定結果を報告する第２の報告手段と、
前記測定結果に基づいて前記基地局により返された、選択された目標セルを含む情報を受信する第８の受信手段と、
前記情報に基づいてハンドオーバのための目標セルを決定するハンドオーバ手段と、を含み、
前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、
端末機器。
【請求項３２】
基地局においてプログラムを実行する際に、コンピュータに、請求項１乃至５、１６乃至２０のいずれかに記載のセル選択方法を前記基地局において実行させる、
コンピュータ読み取り可能なプログラム。
【請求項３３】
コンピュータに、請求項１乃至５、１６乃至２０のいずれかに記載のセル選択方法を基地局において実行させるためのコンピュータ読み取り可能なプログラムを記録する、
記録媒体。
【請求項３４】
端末機器においてプログラムを実行する際に、コンピュータに、請求項６乃至８、２２乃至２４に記載のセル選択方法を前記端末機器において実行させる、
コンピュータ読み取り可能なプログラム。
【請求項３５】
コンピュータに、請求項６乃至８、２２乃至２４に記載のセル選択方法を端末機器において実行させるためのコンピュータ読み取り可能なプログラムを記録する、
記録媒体。
【請求項３６】
基地局においてプログラムを実行する際に、コンピュータに、請求項１４、１５、１７乃至２０のいずれかに記載の測定報告のトリガ方法を前記基地局において実行させる、
コンピュータ読み取り可能なプログラム。
【請求項３７】
コンピュータに、請求項１４、１５、１７乃至２０のいずれかに記載の測定報告のトリガ方法を基地局において実行させるためのコンピュータ読み取り可能なプログラムを記録する、
記録媒体。
【請求項３８】
端末機器においてプログラムを実行する際に、コンピュータに、請求項２１、２３又は２４に記載の測定報告のトリガ方法を前記端末機器において実行させる、
コンピュータ読み取り可能なプログラム。
【請求項３９】
コンピュータに、請求項２１、２３又は２４に記載の測定報告のトリガ方法を端末機器において実行させるためのコンピュータ読み取り可能なプログラムを記録する、
記録媒体。
【発明の詳細な説明】
【技術分野】
【０００１】
本発明は、通信分野に関し、特にセル選択方法、測定報告のトリガ方法、基地局及び端末機器に関する。
【背景技術】
【０００２】
無線移動通信システムでは、端末機器への連続的なサービスを確保するために、端末は移動プロセスにおいてセルの選択を行う必要がある。具体的には、端末は接続モードにおいてハンドオーバ、或いはアイドルモードにおいてセルの再選択を行う必要がある。
【０００３】
接続モードでは、ハンドオーバの正確なトリガを確保するために、端末はＲＲＭ（Radio  Resource  Management：無線リソース管理）により測定を行う必要がある。測定結果が所定の期間内（トリガ時間（TTT：Time  to  Trigger）と称する）に常に一定の条件（イベントのトリガ条件と称する）を満たしている場合、端末は基地局に測定結果を報告する。基地局は、測定結果に基づいて、ハンドオーバプロセスを起動するか否かを決定することができる。
【０００４】
同様に、アイドルモードでは、端末機器は、セル再選択を行う場合、隣接する基地局を測定し、隣接するセルを再選択するか否かを判断する必要がある。全体の再選択時間内（即ちＴｒｅｓｅｌｅｃｔｉｏｎ）において隣接セルの測定評価結果がいずれも現在のサービングセルよりも良い場合のみ、端末機器は隣接セルを再選択する。
【０００５】
従来のプロトコルにおいて、移動性への端末機器の移動速度の影響を回避するため、端末機器の移動速度に基づいて移動プロセスを調整するように設けられる。主には、ハンドオーバプロセスに関するＴＴＴ、並びにセル再選択プロセスにおける測定結果のヒステリシスＱＨｙｓｔ及びＴｒｅｓｅｌｅｃｔｉｏｎを調整する。
【０００６】
しかしながら、従来の移動プロセスでは、セルのサイズの影響について考慮されていない。異種ネットワークにおいて、セルのサイズの変化が大きい。高速の端末機器がサイズの小さいセル（例えばピコセル、リモート無線ヘッド、リレー基地局など）のサービスを受ける場合は、高速端末機器はハンドオーバ又はセル再選択を頻繁に行う必要があるため、通話の切れ又はサービスの中断に繋がりやすい。一方、通常速度の端末機器がマクロセルのサービスを受ける場合、これらの端末機器はマクロセルのリソースを占有するため、リソース全体の利用率の低下に繋がる。今まで上記の問題を効果的に解決する方法がまだない。
【０００７】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００８】
本発明の実施例は、補正因子集合を設けることで、移動プロセスへのセルのサイズ及び端末速度両方の影響を考慮するため、通話切れ及びサービス中断を回避でき、周波数スペクトル全体の利用率を向上でき、ユーザへのサービスの品質を確保できる、セル選択方法、測定報告のトリガ方法、基地局及び端末機器を提供することを目的とする。
【課題を解決するための手段】
【０００９】
本発明の実施例の一の態様では、基地局が、端末機器に、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を通知するステップを含み、前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、セル選択方法、を提供する。
【００１０】
本発明の実施例の他の態様では、端末機器が、サービングセルの基地局により通知された、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を受信するステップと、前記端末機器の移動状態に基づいて、前記第１の補正因子集合及び／又は前記第２の補正因子集合から対応する補正因子を選択するステップと、選択された補正因子により、サービングセル及び／又は隣接セルに対する評価結果をそれぞれ補正して、補正された前記サービングセル及び／又は隣接セルの評価結果を取得するステップと、前記補正された評価結果により、セルの再選択を行うステップと、を含み、前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、セル選択方法、を提供する。
【００１１】
本発明の実施例の他の態様では、端末機器に、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を通知する第１の通知手段を含み、前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、基地局、を提供する。
【００１２】
本発明の実施例の他の態様では、サービングセルの基地局により通知された、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を受信する第２の受信手段と、前記端末機器の移動状態に基づいて、前記第１の補正因子集合及び／又は前記第２の補正因子集合から対応する補正因子を選択する第１の選択手段と、前記第１の選択手段により選択された補正因子により、サービングセル及び／又は隣接セルに対する評価結果をそれぞれ補正して、補正された前記サービングセル及び／又は隣接セルの評価結果を取得する第１の補正手段と、前記補正された評価結果により、セルの再選択を行う再選択手段と、を含み、前記第１の補正因子集合は１つ又は１つ以上の補正因子を含み、前記第２の補正因子集合は１つ又は１つ以上の補正因子を含み、前記１つの補正因子は所定の移動速度に対応し、前記１つ以上の補正因子の各補正因子は異なる移動速度にそれぞれ対応する、端末機器、を提供する。
【００１３】
本発明の実施例の他の態様では、基地局が、端末機器に、サービングセルの測定結果を補正するための第３の補正因子集合及び／又は隣接セルの測定結果を補正するための第４の補正因子集合を通知するステップを含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、測定報告のトリガ方法、を提供する。
【００１４】
本発明の実施例の他の態様では、基地局が、端末機器に、サービングセルの測定結果を補正するための第３の補正因子集合及び／又は隣接セルの測定結果を補正するための第４の補正因子集合を通知するステップと、前記端末機器により報告された、サービングセル及び／又は隣接セルの補正されていない測定結果を含む測定報告を受信するステップと、前記測定報告に基づいて、ネットワーク側の他のエンティティと協議して、前記端末機器のハンドオーバのための目標セルを選択し、前記端末機器に選択された目標セルを含む情報を通知するステップと、を含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、セル選択方法、を提供する。
【００１５】
本発明の実施例の他の態様では、端末機器が、サービングセルの基地局により通知された、サービングセルの測定結果を補正するための第３の補正因子集合及び／又は隣接セルの測定結果を補正するための第４の補正因子集合を受信するステップと、前記端末機器の移動状態に基づいて、前記第３の補正因子集合及び前記第４の補正因子集合から対応する補正因子を選択するステップと、選択された補正因子により、前記サービングセル及び／又は隣接セルの測定結果を補正して、補正された前記サービングセル及び／又は隣接セルの測定結果を取得するステップと、前記補正された測定結果に基づいて、トリガイベントに対応するトリガ条件が満たされたか否かを判断するステップと、前記トリガ条件が満たされた場合、前記基地局に補正されていない測定結果を報告するステップと、を含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、測定報告のトリガ方法、を提供する。
【００１６】
本発明の実施例の他の態様では、端末機器が、サービングセルの基地局により通知された、サービングセルの測定結果を補正するための第３の補正因子集合及び／又は隣接セルの測定結果を補正するための第４の補正因子集合を受信するステップと、前記端末機器の移動状態に基づいて、前記第３の補正因子集合及び前記第４の補正因子集合から対応する補正因子を選択するステップと、選択された補正因子により、前記サービングセル及び／又は隣接セルの測定結果を補正して、補正された前記サービングセル及び／又は隣接セルの測定結果を取得するステップと、前記補正された測定結果に基づいて、トリガイベントに対応するトリガ条件が満たされたか否かを判断するステップと、前記トリガ条件が満たされた場合、前記基地局に補正されていない測定結果を報告するステップと、前記測定結果に基づいて前記基地局により返された、選択された目標セルを含む情報を受信するステップと、前記情報に基づいてハンドオーバのための目標セルを決定するステップと、を含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、セル選択方法、を提供する。
【００１７】
本発明の実施例の他の態様では、端末機器に、サービングセルの測定結果を補正するための第３の補正因子集合及び／又は隣接セルの測定結果を補正するための第４の補正因子集合を通知する第２の通知手段を含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、基地局、を提供する。
【００１８】
本発明の実施例の他の態様では、端末機器に、サービングセルの測定結果を補正するための第３の補正因子集合及び／又は隣接セルの測定結果を補正するための第４の補正因子集合を通知する第３の通知手段と、前記端末機器により報告された、サービングセル及び／又は隣接セルの補正されていない測定結果を含む測定報告を受信する第５の受信手段と、前記測定報告に基づいて、ネットワーク側の他のエンティティと協議して、前記端末機器のハンドオーバのための目標セルを選択し、前記端末機器に選択された目標セルを含む情報を通知する選択手段と、を含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、基地局、提供する。
【００１９】
本発明の実施例の他の態様では、サービングセルの基地局により通知された、サービングセルの測定結果を補正するための第３の補正因子集合及び／又は隣接セルの測定結果を補正するための第４の補正因子集合を受信する第６の受信手段と、前記端末機器の移動状態に基づいて、前記第３の補正因子集合及び前記第４の補正因子集合から対応する補正因子を選択する第２の選択手段と、選択された補正因子により、前記サービングセル及び／又は隣接セルの測定結果を補正して、補正された前記サービングセル及び／又は隣接セルの測定結果を取得する第２の補正手段と、前記補正された測定結果に基づいて、トリガイベントに対応するトリガ条件が満たされたか否かを判断する第１の判断手段と、前記第１の判断手段の判断結果として前記トリガ条件が満たされた場合、前記基地局に前記サービングセル及び／又は隣接セルの補正されていない測定結果を報告する第１の報告手段と、を含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、端末機器、を提供する。
【００２０】
本発明の実施例の他の態様では、サービングセルの基地局により通知された、サービングセルの測定結果を補正するための第３の補正因子集合及び／又は隣接セルの測定結果を補正するための第４の補正因子集合を受信する第７の受信手段と、前記端末機器の移動状態に基づいて、前記第３の補正因子集合及び前記第４の補正因子集合から対応する補正因子を選択する第３の選択手段と、選択された補正因子により、前記サービングセル及び／又は隣接セルの測定結果を補正して、補正された前記サービングセル及び／又は隣接セルの測定結果を取得する第３の補正手段と、前記補正された測定結果に基づいて、トリガイベントに対応するトリガ条件が満たされたか否かを判断する第２の判断手段と、前記第２の判断手段の判断結果として前記トリガ条件が満たされた場合、前記基地局に前記サービングセル及び／又は隣接セルの補正されていない測定結果を報告する第２の報告手段と、前記測定結果に基づいて前記基地局により返された、選択された目標セルを含む情報を受信する第８の受信手段と、前記情報に基づいてハンドオーバのための目標セルを決定するハンドオーバ手段と、を含み、前記第３の補正因子集合は１つ又は１つ以上の補正因子を含み、前記第４の補正因子集合は１つ又は１つ以上の補正因子を含み、前記１つの補正因子は所定の移動速度に対応し、前記１つ以上の補正因子の各補正因子は異なる移動速度にそれぞれ対応する、端末機器、を提供する。
【００２１】
本発明の実施例の他の態様では、基地局においてプログラムを実行する際に、コンピュータに、上記のセル選択方法を前記基地局において実行させる、コンピュータ読み取り可能なプログラム、を提供する。
【００２２】
本発明の実施例の他の態様では、コンピュータに、上記のセル選択方法を基地局において実行させるためのコンピュータ読み取り可能なプログラムを記録する、記録媒体、を提供する。
【００２３】
本発明の実施例の他の態様では、端末機器においてプログラムを実行する際に、コンピュータに、上記のセル選択方法を前記端末機器において実行させる、コンピュータ読み取り可能なプログラム、を提供する。
【００２４】
本発明の実施例の他の態様では、コンピュータに、上記のセル選択方法を端末機器において実行させるためのコンピュータ読み取り可能なプログラムを記録する、記録媒体、を提供する。
【００２５】
本発明の実施例の他の態様では、基地局においてプログラムを実行する際に、コンピュータに、上記の測定報告のトリガ方法を前記基地局において実行させる、コンピュータ読み取り可能なプログラム、を提供する。
【００２６】
本発明の実施例の他の態様では、コンピュータに、上記の測定報告のトリガ方法を基地局において実行させるためのコンピュータ読み取り可能なプログラムを記録する、記録媒体、を提供する。
【００２７】
本発明の実施例の他の態様では、端末機器においてプログラムを実行する際に、コンピュータに、上記の測定報告のトリガ方法を前記端末機器において実行させる、コンピュータ読み取り可能なプログラム、を提供する。
【００２８】
本発明の実施例の他の態様では、コンピュータに、上記の測定報告のトリガ方法を端末機器において実行させるためのコンピュータ読み取り可能なプログラムを記録する、記録媒体、を提供する。
【００２９】
本発明の実施例の有益な効果としては、補正因子集合を設け、該補正因子集合における補正因子が異なる移動速度に対応することで、移動プロセスへのセルのサイズ及び端末速度両方の影響を考慮するため、高速端末がマクロセルにおいてサービスを受け、通常速度の端末がサイズの比較的小さいセルにおいてサービスを受けることになる。よって、システムは周波数スペクトル全体の利用率を向上でき、ユーザへのサービスの品質を確保できる。
【００３０】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００３１】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００３２】
なお、本文では、用語「包括／含む／有する」は、特徴、部材、ステップ又はコンポーネントが存在することを指し、一つ又は複数の他の特徴、部材、ステップ又はコンポーネントの存在又は付加を排除しない。
【図面の簡単な説明】
【００３３】
下記図面の詳細の説明を通じて、本発明の実施例の上記の目的、他の目的、特徴及び利点はより明確になる。
【図１】トリガイベント及びＴＴＴを示す図である。
【図２】本発明の実施例１に係るセル選択方法のフローチャートである。
【図３】本発明の実施例２に係るセル選択方法のフローチャートである。
【図４】本発明の実施例３に係る基地局の構成を示す図である。
【図５】端末機器の例として用いられる携帯電話を示す図である。
【図６】本発明の実施例４に係る端末機器の構成を示す図である。
【図７】本発明の実施例５に係るセル選択方法のフローチャートである。
【図８】本発明の実施例６に係る測定報告のトリガ方法を示す図である。
【図９】本発明の実施例７に係るセル選択方法のフローチャートである。
【図１０】本発明の実施例８に係る測定報告のトリガ方法のフローチャートである。
【図１１】本発明の実施例９に係るセル選択方法のフローチャートである。
【図１２】本発明の実施例１０に係る基地局の構成を示す図である。
【図１３】本発明の実施例１１に係る基地局の構成を示す図である。
【図１４】本発明の実施例１２に係る端末機器の構成を示す図である。
【図１５】本発明の実施例１３に係る端末機器の構成を示す図である。
【図１６】本発明の実施例１４に係るセル選択方法のフローチャートである。
【図１７】本発明の実施例１５に係るセル選択方法のフローチャートである。
【発明を実施するための形態】
【００３４】
以下、図面を参照しながら本発明の各実施形態を説明する。これらの実施形態は、単なる例示的なものであり、本発明を限定するものではない。当業者に本発明の原理及び実施形態を容易に理解させるため、本発明の実施形態ではＬＴＥ／ＬＴＥ−Ａシステムにおける端末機器によるセル再選択及びハンドオーバを例として説明しているが、本発明はこのシステムに限定されず、セル再選択及びハンドオーバを行う端末機器を有する他のシステムにも適用してもよい。
【００３５】
まず、接続モードにおける端末機器のハンドオーバを説明する。
【００３６】
接続モードでは、ハンドオーバの正確なトリガを確保するために、端末はＲＲＭ（Radio  Resource  Management：無線リソース管理）により測定を行う必要がある。測定結果が所定の期間内（トリガ時間（TTT：Time  to  Trigger）と称する）に常に一定の条件（イベントのトリガ条件と称する）を満たしている場合、端末は基地局に測定結果を報告する。基地局は、測定結果に基づいて、ハンドオーバプロセスを起動するか否かを決定することができる。
【００３７】
３ＧＰＰプロトコルの３６．３３１（Ｖ１０．２．０）では、システムは、端末機器による報告された測定結果のトリガイベントを設定するための８種類のイベント、即ちＡ１〜Ａ６、Ｂ１及びＢ２を指定している。
【００３８】
例えば、図１は、トリガイベント及びＴＴＴを示す図である。図１に示すように、トリガイベントは、隣接セルが閾値よりもよい（即ちイベントＡ４）と定義されている。このイベントに対し、入口条件及び出口条件が定義されている。
入口条件：Ｍｎ＋Ｏｆｎ＋Ｏｃｎ−Ｈｙｓ＞Ｔｈｒｅｓｈ        式（１）
出口条件：Ｍｎ＋Ｏｆｎ＋Ｏｃｎ＋Ｈｙｓ＜Ｔｈｒｅｓｈ        式（２）
【００３９】
ここで、Ｍｎは、隣接セルの測定結果であり、オフセット値はいずれも考慮されていない。Ｏｆｎは、隣接セルの周波数に対応する周波数のオフセットである。Ｏｃｎは、隣接セルに対応するセルのオフセットである。Ｈｙｓは、このイベントに対応するヒステリシス値である。Ｔｈｒｅｓｈは、このイベントに対応する閾値である。このイベントでは、端末機器は、補正された隣接セルの測定結果が入口条件を満たすか否か、即ち式（１）を判断する。満たされ、且つ全てのＴＴＴ時間内に満たされた場合は、その測定報告をトリガし、基地局に隣接セルの測定結果を報告する。
【００４０】
トリガイベントの異なる設定は、どのセルの測定結果が端末機器によりネットワーク側に報告することに影響を与え、ネットワークによるハンドオーバの目標セルの選択に間接に影響を与える。一方、端末機器は移動するため、トリガイベントの異なる設定は、測定報告のトリガ時間に影響を与え、ハンドオーバの発生時間に影響を与える。トリガイベントの合理的な設定は、ハンドオーバの目標セルの合理的な選択及びハンドオーバを正常に行うことのために用いられる。
【００４１】
同様に、アイドルモードでは、端末機器は、セル再選択を行う場合、隣接する基地局を測定し、隣接するセルを再選択するか否かを判断する必要がある。全体の再選択時間内（即ちＴｒｅｓｅｌｅｃｔｉｏｎ）において隣接セルの測定評価結果がいずれも現在のサービングセルよりも良い場合のみ、端末機器は隣接セルを再選択する。サービングセル、及び隣接の周波数が同じセル又は優先順位が同じ、且つ周波数が異なるセルを評価する場合は、下記Ｒ規則に基づいて評価する必要がある。
Ｒｓ＝Ｑｍｅａｎ，ｓ＋ＱＨｙｓｔ                  式（３）
Ｒｎ＝Ｑｍｅａｎ，ｎ−Ｑｏｆｆｓｅｔ                式（４）
【００４２】
ここで、Ｒｓは端末機器のサービングセルに対する評価結果であり、Ｑｍｅａｎ，ｓは端末機器のサービングセルの基準信号受信電力に対する（RSRP：Reference  Signal  Receiving  Power）測定結果であり、ＱＨｙｓｔは測定結果のヒステリシスである。Ｑｍｅａｎ，ｎは端末機器の隣接セルに対するＲＳＲＰの測定結果であり、Ｑｏｆｆｓｅｔは隣接セルの測定結果のオフセットである。
【００４３】
隣接セルが同じ周波数のセルであり、且つ各隣接セルについてオフセット（Ｑｏｆｆｓｅｔｓ，ｎ）が存在している場合、隣接セルのオフセットはＱｏｆｆｓｅｔｓ，ｎに等しく、システムでは有効なＱｏｆｆｓｅｔｓ，ｎが設定されていない場合、隣接セルのオフセットは０に等しい。隣接セルが異なる周波数のセルである場合、各隣接セルについてオフセット（Ｑｏｆｆｓｅｔｓ，ｎ）があるとき、隣接セルのオフセットは各周波数のオフセット（Ｑｏｆｆｓｅｔｆｒｅｑｕｅｎｃｙ）と各隣接セルのオフセット（Ｑｏｆｆｓｅｔｓ，ｎ）との和に等しく、各隣接セルについてオフセット（Ｑｏｆｆｓｅｔｓ，ｎ）がないとき、隣接セルのオフセットは各周波数のオフセット（Ｑｏｆｆｓｅｔｆｒｅｑｕｅｎｃｙ）に等しい。端末機器は、式（３）及び式（４）に基づいてサービングセル及び隣接セルを評価して、評価結果に基づいて並び替えを行う。再選択時間（即ちＴｒｅｓｅｌｅｃｔｉｏｎ）全体において新しいセルがサービングセルよりもよい、即ちＲｎ＞Ｒｓの場合、端末機器が現在のサービングセルにおいて１秒以上滞在したとき、端末機器は評価結果の最もよいセル（該新しいセル）を再選択する。
【００４４】
また、アイドルモードでは、異なる通信システムの隣接セルを含む異なる優先順位の周波数の隣接セルについて、セルを再選択する時に、まず隣接セルがセルの再選択条件を満たすか否かを判断する。判断する時には、主に現在のサービングセルの測定値と隣接セルの測定値とを比較する。再選択条件を満たしている、異なる優先順位の周波数のセルがいくつ存在する場合、周波数の優先順位に基づいて並び替えを行い、周波数の優先順位が高いセルはセルの再選択においてより高い優先順位を有する。そして、優先順位の最も高い周波数が進化したＵＭＴＳ地上無線アクセスネットワーク（E-UTRAN：Evolved  UMTS  Terrestrial  Radio  Access  Network）の周波数である場合、Ｒ規則に従ってこの優先順位の最も高い周波数のセルを並び替え、優先順位の最も高い周波数が他のシステムの周波数である場合、他のシステムに対する評価基準に従って評価する。
【００４５】
端末機器の移動速度の移動性への影響を回避するため、端末機器の移動速度に基づいて移動プロセスを調整してもよく、主にはハンドオーバプロセスに関するＴＴＴ、並びにセル再選択プロセスにおける測定結果のヒステリシスＱＨｙｓｔ及びＴｒｅｓｅｌｅｃｔｉｏｎを調整する。具体的には、端末機器は、まず端末速度測定方法により、自分の移動状態が「高速」、「中速」、それとも「普通」かを測定する。一方、基地局は、ＱＨｙｓｔ及びＴｒｅｓｅｌｅｃｔｉｏｎについての補正因子集合（高速及び中速に対応する因子を含む）をブロードキャストし、専用のシグナリングにより端末にＴＴＴの補正因子集合（高速及び中速に対応する因子を含む）を通知する。端末機器は、対応する補正因子集合を取得すると、自分の移動状態に基づいて移動プロセスを調整する。ハンドオーバプロセスにおいてＴＴＴに対応する補正因子（該因子の値の範囲が１以下である）を乗算し、再選択プロセスにおいてＱＨｙｓｔに対応する補正因子（該因子の値の範囲が１以下である）を乗算し、再選択プロセスにおいてＴｒｅｓｅｌｅｃｔｉｏｎに対応する補正因子（該因子の値の範囲が１以下である）を乗算する。
【００４６】
以上のことから、端末機器の移動プロセスでは、端末速度の移動プロセスへの影響のみが考慮されている。Ｔｒｅｓｅｌｅｃｔｉｏｎ及びＴＴＴの補正はハンドオーバ／セル再選択の時間のみに影響を与え、ＱＨｙｓｔの補正はサービングセルの評価のみに影響を与え、ハンドオーバの目標セル及び再選択されたセルに影響を与えていない。
【００４７】
即ち、従来の移動プロセスでは、セルのサイズの影響について考慮されていない。異種ネットワークにおいて、セルのサイズの変化が大きい。高速の端末機器がサイズの小さいセル（例えばピコセル、リモート無線ヘッド、リレー基地局など）のサービスを受ける場合は、高速端末機器はハンドオーバ又はセル再選択を頻繁に行う必要があるため、通話の切れ又はサービスの中断に繋がりやすい。一方、通常速度の端末機器がマクロセルのサービスを受ける場合、これらの端末機器はマクロセルのリソースを占有するため、リソース全体の利用率の低下に繋がる。
【００４８】
従って、上記の課題を解決するために、本発明の実施例は、より合理的なセル選択方法を提供し、高速端末がマクロセルにおいてサービスを受け、普通速度の端末がサイズの比較的小さいセルにおいてサービスを受ける。よって、システムは周波数スペクトル全体の利用率を向上でき、ユーザへのサービスの品質を確保できる。
【００４９】
以下、図面を参照しながら、本発明の実施例に係る方法を詳細に説明する。
【００５０】
以下、図面を参照しながら、アイドルモードにおけるセル再選択方法を説明する。
【００５１】
図２は、本発明の実施例１に係るセル選択方法のフローチャートである。図２に示すように、ネットワーク側では、該方法は以下のステップを含む。
【００５２】
ステップ２０１：基地局が、端末機器に、サービングセルを評価する時にサービングセルの測定結果のヒステリシスＱＨｙｓｔを補正するための第１の補正因子集合を通知する。
【００５３】
本実施例では、該基地局は端末機器のプライマリサービングセルの基地局であり、該測定結果は例えば基準信号受信電力（ＲＳＲＰ）の測定結果であってもよい。
【００５４】
本実施例では、各セルについて、第１の補正因子集合は１つ又は１つ以上の補正因子を含んでもよい。１つの補正因子を含む場合、該補正因子は、所定の移動速度、例えば高速又は中速に対応し、他の速度に対応する補正因子のデフォルト値は０であってもよい。１つ以上の補正因子を含む場合、該１つ以上の補正因子の各補正因子は、異なる移動速度にそれぞれ対応してもよく、例えば異なる補正因子は高速又は中速にそれぞれ対応してもよい。この場合、普通速度に対応する補正因子のデフォルト値は０であってもよい。また、高速、中速及び普通速度にそれぞれ対応する３つの補正因子を含んでもよい。
【００５５】
また、第１の補正因子集合に含まれる補正因子の類型は、サービングセルの周波数についての補正因子（ｑ−ＨｙｓｔＳＦｆｒｅｑｕｅｎｃｙ）であってもよく、周波数が同じ場合は、補正因子集合が同じである。或いは、第１の補正因子集合に含まれる補正因子の類型は、各セルについての補正因子（ｑ−ＨｙｓｔＳＦｃｅｌｌ）であってもよく、周波数が異なっても、異なるセルが異なる補正因子を有する。或いは、上記２種類の補正因子、即ちサービングセルの周波数についての補正因子及び各セルについての補正因子は共に第１の補正因子集合に含まられている。
【００５６】
補正因子集合は、実際の状況に応じて事業者により設定されてもよい。好適には、事業者のネットワーク設定において、異なる周波数のセルのサイズが異なっているが、同じ周波数のセルのサイズが大体同じである場合、周波数についての補正因子を設定してもよい。事業者のネットワーク設定において、周波数が同じであってもセルのサイズが大きく異なっている場合、異なるセルについての補正因子を設定する必要がある。勿論、この２種類の補正因子は同時に存在してもよい。補正因子の値を設定する際に、セルのサイズの補正因子への影響を考慮する必要があり、補正因子は０よりも大きくてもよいし（従来のプロトコルでは、ＱＨｙｓｔについての補正因子ｑ−ＨｙｓｔＳＦの値の範囲は０以下であり、サービングセルのみに関するものである）、０以下であってもよい、即ち、第１の補正因子集合における補正因子は任意の値であってもよい。好適には、セルのサイズが比較的に大きい場合、端末機器の速度が速いほど、補正因子が大きい。セルのサイズが比較的に小さい場合、端末機器の速度が速いほど、補正因子が小さい。
【００５７】
本実施例では、通常、サイズの比較的に大きいセルはマクロセルを指し、サイズの比較的に小さいセルは、ピコセル、リモート無線ヘッド、リレー基地局、ホームセルなどを指す。
【００５８】
本実施例では、端末機器の速度は、通常事業者により決定され、例えば、事業者が２つの閾値を予め設定し、第１の閾値が第２の閾値よりも大きく、所定の時間内に端末のハンドオーバの回数が第１の閾値よりも大きい場合、端末の移動速度は高速であり、端末の移動速度が第１の閾値と第２の閾値との間にある場合、端末の移動速度は中速であり、端末の移動速度が第２の閾値よりも小さい場合、端末の移動速度は普通速度である。ここで、第１の閾値及び第２の閾値はネットワークの実際の状況に応じて設定されてもよく、例えば、第１の閾値は２０であり、第２の閾値は１０である。また、実際の状況に応じて、対応する数値に設定されてもよい。
【００５９】
ステップ２０２：基地局が、端末機器に、隣接セルを評価する時に隣接セルの測定結果のオフセット値Ｑｏｆｆｓｅｔを補正するための第２の補正因子集合を通知する。
【００６０】
ここで、該測定結果は、例えば基準信号受信電力（ＲＳＲＰ）の測定結果であってもよい。第２の補正因子集合は１つ又は１つ以上の補正因子を含んでもよい。１つの補正因子を含む場合、該補正因子は、所定の移動速度、例えば高速又は中速に対応し、他の速度に対応する補正因子のデフォルト値は０であってもよい。１つ以上の補正因子を含む場合、該１つ以上の補正因子の各補正因子は、異なる移動速度にそれぞれ対応してもよく、例えば異なる補正因子は高速又は中速にそれぞれ対応してもよい。この場合、普通速度に対応する補正因子のデフォルト値は０であってもよい。また、高速、中速及び普通速度にそれぞれ対応する３つの補正因子を含んでもよい。
【００６１】
また、第２の補正因子集合に含まれる補正因子の類型は、隣接セルの周波数についての補正因子（ｑ−ＯｆｆｓｅｔＳＦｆｒｅｑｕｅｎｃｙ）であってもよく、周波数が同じ場合は、補正因子集合が同じである。或いは、第２の補正因子集合に含まれる補正因子の類型は、各セルについての補正因子（ｑ−ＯｆｆｓｅｔＳＦｃｅｌｌ）であってもよく、周波数が異なっても、異なるセルが異なる補正因子を有する。或いは、上記２種類の補正因子、即ち引接セルの周波数についての補正因子及び各セルについての補正因子は共に第２の補正因子集合に含まられている。
【００６２】
補正因子集合は、実際の状況に応じて事業者により設定されてもよい。好適には、事業者のネットワーク設定において、異なる周波数のセルのサイズが異なっているが、同じ周波数のセルのサイズが大体同じである場合、周波数についての補正因子を設定してもよい。事業者のネットワーク設定において、周波数が同じであってもセルのサイズが大きく異なっている場合、異なるセルについての補正因子を設定する必要がある。勿論、この２種類の補正因子は同時に存在してもよい。補正因子の値を設定する際に、セルのサイズの補正因子への影響を考慮する必要があり、補正因子は０よりも大きくてもよいし、０以下であってもよい、即ち任意の値であってもよい。好適には、セルのサイズが比較的に大きい場合、端末機器の速度が速いほど、補正因子が大きい。セルのサイズが比較的に小さい場合、端末機器の速度が速いほど、補正因子が小さい。
【００６３】
上記の実施例では、ステップ２０１とステップ２０２の実行順序は限定されず、順次に実行されてもよいし、同時に実行されてもよいし、そのうち１つのステップのみが実行されてもよい、例えばステップ２０１が実行されず、ステップ２０２のみが実行されてもよい。
【００６４】
本実施例では、該方法は、基地局が、ネットワーク側の機能エンティティから送信された第１の補正因子集合及び／又は第２の補正因子集合を受信するステップ、をさらに含んでもよい。
【００６５】
ここで、第１の補正因子集合及び第２の補正因子集合における補正因子は、ネットワーク側の機能エンティティにより設定され、基地局に送信されてもよい。該ネットワーク側の機能エンティティは、ネットワーク側の隣接セルの基地局であってもよいし、ネットワーク側の管理機能エンティティなどであってもよい。
【００６６】
また、基地局が端末機器に上記の補正因子集合を通知した場合、端末機器は、上記の補正因子集合を受信したとき、端末機器の移動状態に基づいて、対応する補正因子を選択し、該補正因子に基づいて補正されたセルの評価結果を決定し、該評価結果に基づいてセルの再選択を行ってもよい。
【００６７】
図３は、本発明の実施例２に係るセル選択方法のフローチャートである。図３に示すように、端末側では、該方法は以下のステップを含む。
【００６８】
ステップ３０１：端末機器が、サービングセルの基地局により通知された、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を受信する。
【００６９】
本実施例では、該測定結果は、例えば基準信号受信電力（ＲＳＲＰ）の測定結果であってもよい。該第１の補正因子集合は、実施例１のステップ２０１に述べたとおりであり、ここにその説明を省略される。該第２の補正因子集合は、実施例１のステップ２０２に述べたとおりであり、ここにその説明を省略される。
【００７０】
ステップ３０２：端末機器の移動状態に基づいて、第１の補正因子集合及び／又は第２の補正因子集合から、対応する補正因子を選択する。
【００７１】
本実施例では、端末機器の移動速度は、端末機器の移動速度の推定値を指し、移動速度の推定値は従来技術のいずれかにより取得されてもよく、ここにその説明を省略される。例えば、ここに検出された端末機器の移動速度は、高速、中速又は普通速度であり、実施例１に述べたように、端末機器は、この移動速度に基づいて、第１の補正因子集合及び／又は第２の補正因子集合から、対応する補正因子を選択してもよい。
【００７２】
第１、第２の補正因子集合に、１つの移動速度に対応する補正因子のみを含む場合、他の移動速度に対応する補正因子は０とするため、この場合であっても、端末機器は移動速度に基づいて対応する補正因子を選択できる。
【００７３】
ステップ３０３：選択された補正因子に基づいて、サービングセル及び／又は隣接セルに対する評価結果をそれぞれ補正して、補正されたサービングセル及び／又は隣接セルの評価結果を取得する。
【００７４】
本実施例では、選択された補正因子と評価結果とを加算して、補正されたサービングセル及び／又は隣接セルの評価結果を取得する。例えば、式（３）及び式（４）に選択された補正因子を加えて、補正された評価結果を取得する。該評価結果は、下記の式（５）及び式（６）に示されている。
Ｒｓ’＝Ｑｍｅａｎ，ｓ＋ＱＨｙｓｔ＋（ｑ−ＨｙｓｔＳＦ）              式（５）
Ｒｎ’＝Ｑｍｅａｎ，ｎ−Ｑｏｆｆｓｅｔ＋（ｑ−ＯｆｆｓｅｔＳＦ）        式（６）
【００７５】
ここで、Ｒｓ’は、補正されたサービングセルの評価結果を表し、Ｒｎ’は、補正された隣接セルの評価結果を表し、（ｑ−ＨｙｓｔＳＦ）は、端末機器により選択された、ＱＨｙｓｔを補正するための補正因子であり、（ｑ−ＯｆｆｓｅｔＳＦ）は、端末機器により選択された、Ｑｏｆｆｓｅｔを補正するための補正因子である。
【００７６】
補正因子集合において、補正因子の類型が周波数についての補正因子又は異なるセルについての補正因子のみである場合、該補正因子（ｑ−ＨｙｓｔＳＦ）の値は（ｑ−ＨｙｓｔＳＦｆｒｅｑｕｅｎｃｙ）又は（ｑ−ＨｙｓｔＳＦｃｅｌｌ）であり、該補正因子（ｑ−ＯｆｆｓｅｔＳＦ）の値は（ｑ−ＯｆｆｓｅｔＳＦｆｒｅｑｕｅｎｃｙ）又は（ｑ−ＯｆｆｓｅｔＳＦｃｅｌｌ）である。
【００７７】
補正因子集合において、補正因子の類型が周波数についての補正因子及び異なるセルについての補正因子である場合、該補正因子（ｑ−ＨｙｓｔＳＦ）の値は（ｑ−ＨｙｓｔＳＦｆｒｅｑｕｅｎｃｙ）＋（ｑ−ＨｙｓｔＳＦｃｅｌｌ）であり、該補正因子（ｑ−ＯｆｆｓｅｔＳＦ）の値は（ｑ−ＯｆｆｓｅｔＳＦｆｒｅｑｕｅｎｃｙ）＋（ｑ−ＯｆｆｓｅｔＳＦｃｅｌｌ）である。
【００７８】
ステップ３０４：補正された評価結果に基づいて、セルの再選択を行う。
【００７９】
本実施例では、従来技術と類似するように、端末機器は、補正された評価結果の並び替えを行い、再選択時間（Ｔｒｅｓｅｌｅｃｔｉｏｎ）全体において新しいセルがサービングセルよりもよく、且つ端末機器が現在のサービングセルにおいて１秒以上滞在した場合、端末機器は評価結果の最もよいセル（該新しいセル）を再選択する。
【００８０】
上記の実施例のように、ステップ３０１において、端末機器は第１の補正因子集合のみを受信してもよいし、第２の補正因子集合のみを受信してもよいし、第１の補正因子集合及び第２の補正因子集合を受信してもよい。それに応じて、ステップ３０２、３０２において、対応する選択及び補正を行う。
【００８１】
上記の実施例のように、基地局が端末機器に補正因子集合を通知し、各セルについて、該集合における各補正因子が異なる移動状態に対応し、該端末機器がその移動状態に基づいて対応する補正因子を選択してサービングセル及び／又は隣接セルの評価結果を補正し、補正された評価結果に基づいてセルの再選択を行う。これによって、基地局が端末機器に隣接セル及びサービングセルのサイズを通知する必要がないため、シグナリングの負荷が小さい。また、セル再選択において再選択されたセルの選択を最適化できるため、速度の速い端末機器が大きいセルを選択しやすく、速度の遅い端末機器が小さいセルを選択しやすく、通話切れ及びサービス中断を回避できる。よって、システムは、周波数スペクトル全体の利用効率を向上でき、ユーザのサービス品質を確保でき、従来技術の上記課題を解決できる。
【００８２】
上記実施例に係る方法の全て又は一部のステップは、プログラムにより指示されるハードウェアにより実施されてもよく、該プログラムはコンピュータが読み取り可能な記録媒体に記憶され、該プログラムが実行される際に、上記実施例に係る方法の全て又は一部のステップを含んでもよく、該記録媒体はＲＯＭ、ＲＡＮ、ハードディスク、光ディスク等を含んでもよい。
【００８３】
以下の実施例に述べるように、本発明の実施例は、基地局及び端末機器をさらに提供する。該基地局及び端末機器の問題解決の原理が上記基地局及び端末機器に基づくセル再選択方法と類似するため、該基地局及び端末機器の実施は方法の実施を参考することができるものであり、重複する部分についての説明は省略される。
【００８４】
図４は、本発明の実施例３に係る基地局の構成を示す図である。図４に示すように、基地局は、第１の通信部４０１を含む。
【００８５】
第１の通信部４０１は、端末機器に、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を通知する。
【００８６】
第１の補正因子集合は１つ又は１つ以上の補正因子を含み、第２の補正因子集合は１つ又は１つ以上の補正因子を含み、１つの補正因子は所定の移動速度に対応し、１つ以上の補正因子の各補正因子は異なる移動速度にそれぞれ対応する。
【００８７】
本実施例では、第１の補正因子集合及び第２の補正因子集合は、実施例１のステップ２０１及びステップ２０２と類似するため、ここにその説明を省略される。
【００８８】
本実施例では、図４に示すように、基地局は、ネットワーク側の機能エンティティから送信された第１の補正因子集合及び／又は第２の補正因子集合を受信する第１の受信部４０２をさらに含んでもよい。また、第１の補正因子集合及び／又は第２の補正因子集合を記憶する記憶部をさらに含んでもよい。
【００８９】
ここで、ネットワーク側の機能エンティティは、ネットワーク側のいずれかの隣接セルの基地局又は他の管理機能エンティティなどであってもよい。
【００９０】
図５は、端末機器の例として用いられる携帯電話を示す図である。端末機器の例は携帯電話に限定されず、通信機能を有するなんらかの機器、例えばゲーム機、ＰＤＡ、ポータブルコンピュータなどであってもよい。
【００９１】
図５に示すように、携帯電話１００は、開位置と閉位置との間に可動なフリップカバー５０１を有する折りたたみ式の携帯電話であってもよい。図５において、フリップカバー５０１は開位置に位置している。なお、携帯電話１００は、例えば「ストレート式携帯電話」又は「スライド式携帯電話」の構造など他の構造であってもよい。
【００９２】
携帯電話１００は、ディスプレイ５０２を含んでもよく、ディスプレイ５０２は、ユーザに動作状態、時間、電話番号、電話帳情報、各種のメニューなどの情報を表示し、ユーザに携帯電話１００の各特徴を利用させる。ディスプレイ５０２は、携帯電話１００により受信されたコンテンツ及び／又は携帯電話１００のメモリ（図示せず）から検索されたコンテンツを表示する。ディスプレイ５０２は、例えば写真、モバイルテレビのコンテンツ及びゲームに関するビデオなど、ユーザに画像、ビデオ及び他の図形を表示する。
【００９３】
キーボード５０３は、複数のユーザの入力操作を提供する。例えば、キーボード５０３は、英数字情報（例えば電話番号、電話リスト、電話帳情報、ノード、テキストなど）を入力するための英数字キーを含んでもよい。また、キーボード５０３は、特定の機能キー５０４、例えば通話を開始又は応答する「コール送信」キー、及び通話を終了又は「切る」ための「コール終了」キーを含んでもよい。特定の機能キーは、ディスプレイ５０２上のメニューを表示してナビゲーションを行うメニューナビゲーションキー及び選択キーを含んでもよい。例えば、ユーザからの方向入力を受信するためのポインティングデバイス及び／又はナビゲーションキーを提供してもよい。また、ディスプレイ５０２及びキーボード５０３を組み合わせてソフトキーの機能を実現してもよい。携帯電話１００は、アンテナ、マイクロコントローラ、スピーカ５０５、マイク５０６など、機能を実現するに必要な部品を含んでもよい。
【００９４】
図６は、本発明の実施例４に係る端末機器の構成を示す図である。本発明の実施例に係る端末機器として、図６に示すように、端末機器は、第２の受信部６０１、第１の選択部６０２、第１の補正部６０３及び再選択部６０４を含む。
【００９５】
第２の受信部６０１は、サービングセルの基地局により通知された、サービングセルを評価する時にサービングセルの測定結果のヒステリシスを補正するための第１の補正因子集合及び／又は隣接セルを評価する時に隣接セルの測定結果のオフセット値を補正するための第２の補正因子集合を受信する。第１の補正因子集合は１つ又は１つ以上の補正因子を含み、第２の補正因子集合は１つ又は１つ以上の補正因子を含み、１つの補正因子は所定の移動速度に対応し、１つ以上の補正因子の各補正因子は異なる移動速度にそれぞれ対応する。
【００９６】
第１の選択部６０２は、端末機器の移動状態に基づいて、第１の補正因子集合及び／又は第２の補正因子集合から対応する補正因子を選択する。
【００９７】
第１の補正部６０３は、第１の選択部６０２により選択された補正因子により、サービングセル及び／又は隣接セルに対する評価結果をそれぞれ補正して、補正されたサービングセル及び／又は隣接セルの評価結果を取得する。
【００９８】
再選択部６０４は、補正された評価結果により、セルの再選択を行う。
【００９９】
上記の実施例では、第１の補正因子集合及び第２の補正因子集合は、実施例１のステップ２０１及びステップ２０２のものと類似するため、ここにその説明を省略される。
【０１００】
第１の選択部６０２は、端末機器の移動速度に基づいて対応する補正因子を選択できるものであり、実施例２のステップ３０２と同様であり、ここにその説明を省略される。
【０１０１】
第１の補正部６０３の評価結果への補正方法は、実施例２のステップ３０３と同様であり、ここにその説明を省略される。
【０１０２】
再選択部６０４のセル再選択の方法は、実施例２のステップ３０４と同様であり、ここにその説明を省略される。
【０１０３】
このように、基地局が、ネットワーク側に設定されている補正因子集合を受信し、端末機器に該補正因子集合を通知し、各セルについて、該集合における各補正因子が異なる移動状態に対応し、該端末機器がその移動状態に基づいて対応する補正因子を選択してサービングセル及び／又は隣接セルの評価結果を補正し、補正された評価結果に基づいてセルの再選択を行う。これによって、基地局が端末機器に隣接セル及びサービングセルのサイズを通知する必要がないため、シグナリングの負荷が小さい。また、セル再選択において再選択されたセルの選択を最適化できるため、速度の速い端末機器が大きいセルを選択しやすく、速度の遅い端末機器が小さいセルを選択しやすく、通話切れ及びサービス中断を回避できる。よって、システムは、周波数スペクトル全体の利用効率を向上でき、ユーザのサービス品質を確保でき、従来技術の上記課題を解決できる。
【０１０４】
以下、図面を参照しながら、セル再選択方法の応用例を説明する。補正因子集合に高速、中速及び普通速度に対応する３つの補正因子を含むことを例として説明する。
【０１０５】
図７は、本発明の実施例５に係るセル選択方法のフローチャートである。図７に示すように、該方法は以下のステップを含む。
【０１０６】
ステップ７０１：基地局が、ネットワーク側の機能エンティティから送信された第１の補正因子集合及び／又は第２の補正因子集合を受信する。
【０１０７】
本実施例では、基地局の第１の受信部４０１は、ネットワーク側の機能エンティティから送信された第１の補正因子集合及び／又は第２の補正因子集合を受信する。
【０１０８】
ここで、第１の補正因子集合及び第２の補正因子集合は、ネットワーク側の機能エンティティにより設定され、基地局に送信される。ネットワーク側の機能エンティティは、例えば隣接セルの基地局などであってもよい。
【０１０９】
本実施例では、ネットワークの実際の配置に基づいて第１の補正因子集合及び第２の補正因子集合を設定してもよく、設定の方法は実施例１に述べた通りである。
【０１１０】
例えば、第１の補正因子集合を設定する際に、事業者のネットワーク設定において、異なる周波数のセルのサイズが異なっているが、同じ周波数のセルのサイズが大体同じである場合、周波数についての補正因子（ｑ−ＨｙｓｔＳＦｆｒｅｑｕｅｎｃｙ）を設定してもよい。事業者のネットワーク設定において、周波数が同じであってもセルのサイズが大きく異なっている場合、異なるセルについての補正因子（ｑ−ＨｙｓｔＳＦｃｅｌｌ）を設定する必要がある。勿論、この２種類の補正因子は同時に存在してもよい。例えば、隣接セルが複数の周波数に分布する場合、ある周波数のセルの大きさが大体同じであるとき、ｑ−ＨｙｓｔＳＦｆｒｅｑｕｅｎｃｙを用い、ある周波数のセルの大きさが大きく変化するとき、ｑ−ＨｙｓｔＳＦｃｅｌｌを用いる。
【０１１１】
例えば、第２の補正因子集合を設定する際に、事業者のネットワーク設定において、異なる周波数のセルのサイズが異なっているが、同じ周波数のセルのサイズが大体同じである場合、周波数についての補正因子（ｑ−ＱｏｆｆｓｅｔＳＦｆｒｅｑｕｅｎｃｙ）を設定してもよい。事業者のネットワーク設定において、周波数が同じであってもセルのサイズが大きく異なっている場合、異なるセルについての補正因子（ｑ−ＱｏｆｆｓｅｔＳＦｃｅｌｌ）を設定する必要がある。勿論、この２種類の補正因子は同時に存在してもよい。例えば、隣接セルが複数の周波数に分布する場合、ある周波数のセルの大きさが大体同じであるとき、ｑ−ＱｏｆｆｓｅｔＳＦｆｒｅｑｕｅｎｃｙを用い、ある周波数のセルの大きさが大きく変化するとき、ｑ−ＱｏｆｆｓｅｔＳＦｃｅｌｌを用いる。
【０１１２】
本実施例では、第１の補正因子集合及び第２の補正因子集合における補正因子の値を設定する際に、セルのサイズの補正因子への影響を考慮する必要があり、補正因子ｑ−ＨｙｓｔＳＦは任意の値であってもよく、補正因子ｑ−ＱｏｆｆｓｅｔＳＦは任意の値であってもよい。
【０１１３】
好適には、セルのサイズが比較的に大きい場合、端末機器の速度が速いほど、補正因子が大きく、セルのサイズが比較的に小さい場合、端末機器の速度が速いほど、補正因子が小さい。
【０１１４】
ステップ７０２：基地局の第１の通知部４０１は、端末機器に、第１の補正因子集合及び／又は第２の補正因子集合を通知する。
【０１１５】
このように、端末機器の第２の受信部６０１は、第１の通知部４０１により送信された第１の補正因子集合及び／又は第２の補正因子集合を受信する。
【０１１６】
ステップ７０３：端末機器が第１の補正因子集合及び／又は第２の補正因子集合を受信した場合、第１の選択部６０２は、端末機器の移動状態に基づいて、第１の補正因子集合及び／又は第２の補正因子集合から、対応する補正因子を選択する。
【０１１７】
本実施例では、例えば、ここに検出された端末機器の移動状態は高速であり、端末機器は、高速に対応する補正因子を選択してもよい。
【０１１８】
ステップ７０４：第１の補正部６０３は、選択された補正因子により、サービングセル及び／又は隣接セルに対する評価結果をそれぞれ補正して、補正されたサービングセル及び／又は隣接セルの評価結果を取得する。
【０１１９】
本実施例では、該補正された評価結果は、上記の式（５）及び式（６）を用いて計算してもよく、ここで、補正因子（ｑ−ＨｙｓｔＳＦ）＝（ｑ−ＨｙｓｔＳＦｆｒｅｑｕｅｎｃｙ）＋（ｑ−ＨｙｓｔＳＦｃｅｌｌ）、補正因子（ｑ−ＯｆｆｓｅｔＳＦ）＝（ｑ−ＯｆｆｓｅｔＳＦｆｒｅｑｕｅｎｃｙ）＋（ｑ−ＯｆｆｓｅｔＳＦｃｅｌｌ）。
【０１２０】
ステップ７０５：再選択部６０４は、補正された評価結果により、セルの再選択を行う。
【０１２１】
本実施例では、従来技術と類似し、ここにその説明を省略される。
【０１２２】
以上の実施例によれば、基地局が端末機器に補正因子集合を通知し、該集合における各補正因子が異なる移動状態に対応し、該端末機器がその移動状態に基づいて対応する補正因子を選択し、基地局が端末機器に隣接セル及びサービングセルのサイズを通知する必要がないため、シグナリングの負荷が小さい。また、セル再選択において再選択されたセルの選択を最適化できるため、速度の速い端末機器が大きいセルを選択しやすく、速度の遅い端末機器が小さいセルを選択しやすく、従来技術の上記課題を解決できる。
【０１２３】
以下は、図面を参照しながら、接続モードにおけるセルのハンドオーバ方法及び測定報告のトリガ方法を説明する。
【０１２４】
図８は、本発明の実施例６に係る測定報告のトリガ方法を示す図である。図８に示すように、ネットワーク側では、該方法は以下のステップを含む。
【０１２５】
ステップ８０１：基地局が、端末機器に、サービングセルの測定結果を補正するための第３の補正因子集合及び／又は隣接セルの測定結果を補正するための第４の補正因子集合を通知する。
【０１２６】
ここで、第３の補正因子集合は１つ又は１つ以上の補正因子を含み、第４の補正因子集合は１つ又は１つ以上の補正因子を含み、１つの補正因子は所定の移動速度に対応し、１つ以上の補正因子の各補正因子は異なる移動速度にそれぞれ対応する。
【０１２７】
本実施例では、基地局は、端末機器のプライマリサービングセルの基地局である。
【０１２８】
本実施例では、第３の補正因子集合及び第４の補正因子集合は、ある移動速度に対応する１つの補正因子を含んでもよい。この場合、他の速度に対応する補正因子のデフォルト値は０であってもよい。また、異なる移動速度に対応する１つ以上の補正因子を含んでもよい。例えば、高速及び中速にそれぞれ対応する異なる補正因子があってもよく、この場合、普通速度に対応する補正因子のデフォルト値は０であってもよい。また、高速、中速及び普通速度にそれぞれ対応する３つの補正因子を含んでもよい。
【０１２９】
また、第３の補正因子集合に含まれる補正因子の類型は、サービングセルの周波数についての補正因子であってもよく、周波数が同じであれば、補正因子集合は同じである。或いは、第３の補正因子集合に含まれる補正因子の類型は、各セルについての補正因子であってもよく、周波数が異なっても、異なるセルについて異なる補正因子がある。或いは、上記２種類の補正因子、即ちサービングセルの周波数についての補正因子及び各セルについての補正因子は共に第３の補正因子集合に含まれてもよい。
【０１３０】
また、第４の補正因子集合に含まれる補正因子の類型は、隣接セルの周波数についての補正因子であってもよく、周波数が同じであれば、補正因子集合は同じである。或いは、第４の補正因子集合に含まれる補正因子の類型は、各セルについての補正因子であってもよく、周波数が異なっても、異なるセルについて異なる補正因子がある。或いは、上記２種類の補正因子、即ち隣接セルの周波数についての補正因子及び各セルについての補正因子は共に第３の補正因子集合に含まれてもよい。
【０１３１】
上記第３及び第４の補正因子集合は、実際の状況に応じて事業者により設定されてもよい。好適には、事業者のネットワーク設定において、異なる周波数のセルのサイズが異なっているが、同じ周波数のセルのサイズが大体同じである場合、周波数についての補正因子を設定してもよい。事業者のネットワーク設定において、周波数が同じであってもセルのサイズが大きく異なっている場合、異なるセルについての補正因子を設定する必要がある。勿論、この２種類の補正因子は同時に存在してもよい。補正因子の値を設定する際に、セルのサイズの補正因子への影響を考慮する必要があり、補正因子は０よりも大きくてもよいし、０以下であってもよい、即ち任意の値であってもよい。好適には、セルのサイズが比較的に大きい場合、端末機器の速度が速いほど、補正因子が大きい。セルのサイズが比較的に小さい場合、端末機器の速度が速いほど、補正因子が小さい。なお、セルのサイズ及び端末の速度は、実施例１に述べたとおりであり、ここのその説明を省略される。
【０１３２】
本実施例では、該方法は、基地局が、ネットワーク側の機能エンティティから送信された第１の補正因子集合及び／又は第２の補正因子集合を受信するステップ、をさらに含んでもよい。ここで、ネットワーク側の機能エンティティは、上記実施例に述べたとおりであり、ここにその説明を省略される。
【０１３３】
上記実施例では、ステップ８０１において、具体的なトリガイベントに基づいて、基地局が端末機器に第３の補正因子集合及び第４の補正因子集合のいずれか１つ、又は第３及び第４の補正因子集合を通知してもよい。例えば、イベントＡ４について、第４の補正因子集合のみを通知してもよい。イベントＡ３について、第３及び第４の補正因子集合を通知する必要がある。
【０１３４】
端末機器は、基地局により通知された補正因子集合を受信した場合、自分の移動状態に基づいて対応する補正因子を選択し、セルの測定結果を補正し、補正された測定結果に基づいて所定の条件（即ち、イベントの入口条件）が満たされたか否かを判断する。ＴＴＴ内に該イベントの条件が満たされた場合、端末機器は基地局に測定結果を含む測定報告を報告する。ここで、測定報告に含まれる測定結果は補正前の測定結果、即ち信号の直接的な測定結果である。
【０１３５】
この場合、本実施例では、該方法はステップ８０２をさらに含んでもよい。
【０１３６】
ステップ８０２：基地局は、端末機器により報告された、サービングセル及び／又は隣接セルの補正されていない測定結果を含む測定報告を受信する。このように、基地局は、該測定報告に基づいて、端末機器のハンドオーバのための目標セルを選択する。
【０１３７】
図９は、本発明の実施例７に係るセル選択方法のフローチャートである。ネットワーク側では、該方法は以下のステップを含む。
【０１３８】
ステップ９０１〜ステップ９０２は、実施例６のステップ８０１〜ステップ８０２と類似し、ここにその説明を省略される。
【０１３９】
図９に示すように、該方法はステップ９０３をさらに含む。
【０１４０】
ステップ９０３：基地局は、端末機器により報告された測定報告に基づいて、ネットワーク側の他のエンティティと協議して、端末機器のハンドオーバのための目標セルを選択し、端末機器に選択された目標セルを含む情報を送信する。なお、該ステップは、従来技術と類似し、ここにその説明を省略される。また、基地局は端末機器に選択されたハンドオーバのための目標セルを送信する際に、関連する設定情報をさらに含んでもよい。
【０１４１】
図１０は、本発明の実施例８に係る測定報告のトリガ方法のフローチャートである。図１０に示すように、端末機器側では、該方法は以下のステップを含む。
【０１４２】
ステップ１００１：端末機器は、サービングセルの基地局により通知された、サービングセルの測定結果を補正するための第３の補正因子集合及び／又は隣接セルの測定結果を補正するための第４の補正因子集合を受信する。
【０１４３】
なお、第３の補正因子集合、第４の補正因子集合は、実施例６に述べたとおりであり、ここにその説明を省略される。
【０１４４】
ステップ１００２：端末機器の移動状態に基づいて、第３の補正因子集合及び第４の補正因子集合から、対応する補正因子を選択する。
【０１４５】
本実施例では、具体的なイベントに基づいて、現在のプロトコルに規定されているＡ１〜Ａ６、Ｂ１及びＢ２に基づいてどの集合から補正因子を選択するかを決定する。
【０１４６】
ステップ１００３：選択された補正因子により、サービングセル及び／又は隣接セルの測定結果を補正して、補正されたサービングセル及び／又は隣接セルの測定結果を取得する。
【０１４７】
ステップ１００４：所定の時間において、補正された測定結果がトリガイベントに対応するトリガ条件を満たしているか否かを判断する。判断結果がＹＥＳの場合、ステップ１００５に進み、ＮＯの場合、ステップ１００６に進む。
【０１４８】
本実施例では、所定の時間はＴＴＴであってもよい。
【０１４９】
ステップ１００５：ステップ１００４において、所定の時間において、補正された測定結果がトリガ条件を満たしている場合、サービングセルの基地局に、サービングセル及び／隣接セルの真実の測定結果を報告する。
【０１５０】
ステップ１００６：ステップ１００４において、所定の時間において、補正された測定結果がトリガ条件を満たしていない場合、基地局に、サービングセル及び／隣接セルの真実の測定結果を報告しない。
【０１５１】
上記実施例では、上記実施例では、ステップ１００３において、端末機器は選択された補正因子に基づいて測定結果を補正するが、端末機器は、システムの元の補正因子及び選択された補正因子両方に基づいて測定結果を補正してもよい。例えば、イベントＡ４について、式（１）及び（２）において、測定結果を補正するための補正因子は、隣接セルの周波数に対応する周波数オフセットＯｆｎ、隣接セルに対応するセルオフセットＯｃｎ、このイベントに対応するヒステリシス値Ｈｙｓをさらに含んでもよい。異なるイベントについて、システムの元の補正因子は異なってもよい。
【０１５２】
図１１は、本発明の実施例９に係るセル選択方法のフローチャートである。図１１に示すように、端末機器側では、該方法は以下のステップを含む。
【０１５３】
ステップ１１０１〜ステップ１１０６は、実施例８のステップ１００１〜１００６と類似するため、ここにその説明を省略される。また、該方法は以下のステップをさらに含んでもよい。
【０１５４】
ステップ１１０７：測定結果に基づいて基地局により返された、選択された目標セルを含む情報を受信する。
【０１５５】
本実施例では、端末機器は基地局に真実の測定報告を報告すると、基地局は端末機器のハンドオーバのための目標セル及び関連する設定情報を選択する。このプロセスは従来技術と類似するため、ここにその説明を省略される。
【０１５６】
ステップ１１０８：端末機器は、返された情報に基づいて、ハンドオーバのための目標セルを決定する。
【０１５７】
上記の実施例によれば、端末機器が接続モードにある場合、基地局が端末機器に補正因子集合を通知し、該集合における各補正因子が異なる移動状態に対応し、該端末機器がその移動状態に基づいて対応する補正因子を選択してサービングセル及び／又は隣接セルの評価結果を補正し、所定時間において補正された測定結果がトリガイベントのトリガ条件を満たしている場合、端末機器が測定結果を報告し、基地局が測定結果に基づいて端末機器のために目標セルを選択する。これによって、基地局が端末機器に隣接セル及びサービングセルのサイズを通知する必要がないため、シグナリングの負荷が小さい。また、セル再選択において再選択されたセルの選択を最適化できるため、速度の速い端末機器が大きいセルを選択しやすく、速度の遅い端末機器が小さいセルを選択しやすく、従来技術の上記課題を解決できる。
【０１５８】
上記実施例に係る方法の全て又は一部のステップは、プログラムにより指示されるハードウェアにより実施されてもよく、該プログラムはコンピュータが読み取り可能な記録媒体に記憶され、該プログラムが実行される際に、上記実施例に係る方法の全て又は一部のステップを含んでもよく、該記録媒体はＲＯＭ、ＲＡＮ、ハードディスク、光ディスク等を含んでもよい。
【０１５９】
本発明の実施例は、下記の実施例に述べるように、基地局及び端末機器をさらに提供する。該基地局及び端末機器の問題解決の原理は、上記基地局及び端末機器に基づく測定報告のトリガ方法と類似し、該基地局及び端末機器の実施は、方法の実施を参考してもよく、重複する部分についての説明は省略される。
【０１６０】
図１２は、本発明の実施例１０に係る基地局の構成を示す図である。図１２に示すように、基地局は第２の通知部１２０１を含む。第２の通知部１２０１は、端末機器に、サービングセルの測定結果を補正するための第３の補正因子集合及び／又は隣接セルの測定結果を補正するための第４の補正因子集合を通知する。
【０１６１】
なお、第３の補正因子集合及び第４の補正因子集合は、実施例８に述べたように、ここにその説明を省略される。
【０１６２】
本実施例では、図１２に示すように、基地局は、第３の受信部１２０２をさらに含む。第３の受信部１２０２は、ネットワーク側の機能エンティティから送信された第３の補正因子集合及び／又は第４の補正因子集合を受信する。なお、ネットワーク側の機能エンティティは上述した通りであり、ここにその説明を省略される。
【０１６３】
図１２に示すように、基地局は、第４の受信部１２０３をさらに含む。第４の受信部１２０３は、端末機器により報告された、サービングセル及び／又は隣接セルの補正されていない測定結果を含む測定報告を受信する。
【０１６４】
上記実施例によれば、端末機器が接続モードにある際に、基地局は端末機器に補正因子集合を通知し、端末機器は選択された補正因子に基づいてサービングセル及び／又は隣接セルの測定結果を補正し、所定の時間において、補正された測定結果がトリガイベントのトリガ条件を満たしている場合、端末機器は測定報告を報告する。このように、基地局は、端末機器に隣接セル及びサービングセルのサイズを通知する必要がない。
【０１６５】
図１３は、本発明の実施例１１に係る基地局の構成を示す図である。基地局は、第３の通信部１３０１、第５の受信部１３０２、選択部１３０３を含む。
【０１６６】
第３の通信部１３０１及び第５の受信部１３０２の作用は、実施例９の第２の通信部１２０１及び第４の受信部１２０３の作用と類似し、ここにその説明を省略される。また、基地局は選択部１３０３をさらに含み、選択部１３０３は、受信された測定報告に基づいて、ネットワーク側の他のエンティティと協議して、端末機器のハンドオーバのための目標セルを選択し、端末機器に選択された目標セルを含む情報を通知する。また、端末機器に目標セルに関する設定を併せて送信してもよい。
【０１６７】
また、基地局は、ネットワーク側の機能エンティティから送信された第３の補正因子集合及び／又は第４の補正因子集合を受信する受信部（図示せず）をさらに含んでもよい。なお、ネットワーク側の機能エンティティは上述した通りであり、ここにその説明を省略される。
【０１６８】
上記実施例によれば、実施例１０を基にして、基地局は、端末機器に選択された目標セル及び関連する設定情報を送信し、端末機器に該情報に基づいてハンドオーバを実行させてもよい。
【０１６９】
図１４は、本発明の実施例１２に係る端末機器の構成を示す図である。本発明の実施例の端末機器として、図１４に示すように、端末機器は、第６の受信部１４０１、第２の選択部１４０２、第２の補正部１４０３、第１の判断部１４０４及び第１の報告部１４０５を含む。
【０１７０】
第６の受信部１４０１は、サービングセルの基地局により通知された、サービングセルの測定結果を補正するための第３の補正因子集合及び／又は隣接セルの測定結果を補正するための第４の補正因子集合を受信する。なお、第３の補正因子集合及び第４の補正因子集合は、実施例８に述べたとおりであり、ここにその説明を省略される。
【０１７１】
第２の選択部１４０２は、端末機器の移動状態に基づいて、第３の補正因子集合及び第４の補正因子集合から対応する補正因子を選択する。
【０１７２】
第２の補正部１４０３は、選択された補正因子により、サービングセル及び／又は隣接セルの測定結果を補正して、補正されたサービングセル及び／又は隣接セルの測定結果を取得する。
【０１７３】
第１の判断部１４０４は、所定の時間において、補正された測定結果がトリガイベントに対応するトリガ条件を満たしているか否かを判断する。
【０１７４】
第１の報告部１４０５は、第１の判断部１４０４の判断結果としてトリガ条件が満たされた場合、基地局に測定結果を報告する。
【０１７５】
上記実施例では、第２の補正部１４０３は、選択された補正因子に基づいて測定結果を補正してもよいし、システムの元の補正因子及び選択された補正因子両方に基づいて測定結果を補正してもよい。例えば、イベントＡ４について、式（１）及び（２）において、測定結果を補正するための補正因子は、隣接セルの周波数に対応する周波数オフセットＯｆｎ、隣接セルに対応するセルオフセットＯｃｎ、このイベントに対応するヒステリシス値Ｈｙｓをさらに含んでもよい。異なるイベントについて、システムの元の補正因子は異なってもよい。
【０１７６】
図１５は、本発明の実施例１３に係る端末機器の構成を示す図である。本発明の実施例に係る端末機器として、図１５に示すように、端末機器は、第７の受信部１５０１、第３の選択部１５０２、第３の補正部１５０３、第２の判断部１５０４、第２の報告部１５０５、第８の受信部１５０６、及びハンドオーバ部１５０７を含む。
【０１７７】
第７の受信部１５０１、第３の選択部１５０２、第３の補正部１５０３、第２の判断部１５０４、第２の報告部１５０５の作用は、実施例１３の第６の受信部１４０１、第２の選択部１４０２、第２の補正部１４０３、第１の判断部１４０４及び第１の報告部１４０５の作用と類似し、ここにその説明を省略される。
【０１７８】
図１５に示すように、第８の受信部１５０６は、第１の報告部１５０５により報告された測定結果に基づいて基地局により返された、選択された目標セルを含む情報を受信する。ハンドオーバ部１５０７は、該情報に基づいて、ハンドオーバのための目標セルを決定する。
【０１７９】
上記の実施例によれば、端末機器が接続モードにある場合、端末機器は、基地局により通知された補正因子集合から選択された対応の補正因子に基づいて、サービングセル及び／又は隣接セルの測定結果を補正する。これによって、端末機器は、基地局に最適化されたセル測定結果を提供できるため、速度の速い端末機器が大きいセルを選択しやすく、速度の遅い端末機器が小さいセルを選択しやすく、従来技術の上記課題を解決できる。
【０１８０】
以下のイベント、例えばプロトコルに規定されているイベントＡ３を例として、ハンドオーバの例を説明する。該測定報告のトリガ方法は、該セルハンドオーバ方法に含まれ、当業者にとって、測定報告のトリガ方法を単独に実施してもよい。
【０１８１】
イベントＡ３について、イベントのトリガ条件、即ち入口条件及び出口条件は、下記の式（７）及び（８）に示されている。
入口条件：Ｍｎ＋Ｏｆｎ＋Ｏｃｎ−Ｈｙｓ＞Ｍｐ＋Ｏｆｐ＋Ｏｃｐ＋Ｏｆｆ    （７）
出口条件：Ｍｎ＋Ｏｆｎ＋Ｏｃｎ＋Ｈｙｓ＜Ｍｐ＋Ｏｆｐ＋Ｏｃｐ＋Ｏｆｆ    （８）
【０１８２】
ここで、Ｍｎは、隣接セルの測定値であり、なんらかのオフセット値を全く考慮していないものである。Ｏｆｎは、隣接セルの周波数に対応する周波数オフセットである。Ｏｃｎは、隣接セルに対応するセルのオフセットである。Ｈｙｓは、このイベントに対応するヒステリシス値である。Ｍｐは、プライマリセルの測定値であり、なんらかのオフセット値を全く考慮していないものである。Ｏｆｐは、プライマリセルの周波数に対応する周波数オフセットである。Ｏｃｐは、プライマリセルに対応するセルのオフセットである。Ｏｆｆは、このイベントに対応するオフセット値である。
【０１８３】
図１６は、本発明の実施例１４に係るセル選択方法のフローチャートである。以下図１３及び図１５を参照しながら説明する。図１６に示すように、該方法は以下のステップを含む。
【０１８４】
ステップ１６０１：基地局の受信部（図１２に図示せず）は、ネットワーク側の機能エンティティから送信された第３の補正因子集合及び第４の補正因子集合を受信する。
【０１８５】
本実施例では、端末機器にイベントＡ３が設定されているため、ネットワーク側でサービングセル及び隣接セルの補正因子集合を設定する必要がある。
【０１８６】
第３及び第４の補正因子集合に含まれる補正因子は、高速及び中速の補正因子にそれぞれ対応し、この場合、普通速度に対応する補正因子は０である。
【０１８７】
本実施例では、周波数について補正因子を設定してもよいし、セルについて補正因子を設定してもよい。例えば、ここに設定された補正因子は、周波数についての補正因子である。
【０１８８】
ステップ１６０２：基地局の第３の通知部１３０１は、端末機器に、第３及び第４の補正因子集合を通知する。そして、端末機器の第７の受信部１５０１は、第３及び第４の補正因子集合を受信する。
【０１８９】
ステップ１６０３：端末機器の第３の選択部１５０２は、その移動状態に基づいて、第３の補正因子集合及び第４の補正因子集合から、対応する補正因子を選択する。
【０１９０】
本実施例では、その移動速度に基づいて、対応する補正因子を選択してもよい。
【０１９１】
ステップ１６０４：端末機器の第３の補正部１５０３は、選択された補正因子により、サービングセル及び隣接セルの測定結果を補正して、補正されたサービングセル及び隣接セルの測定結果を取得する。
【０１９２】
本実施例では、選択された補正因子に基づいて測定結果を補正する際に、システムの元の補正因子をさらに考慮し、即ち、システムの元の補正因子に基づいて測定結果を補正した上、選択された補正因子に基づいて測定結果を補正する。このように、式（７）及び（８）の両側に、選択されたサービングセル及び隣接セルの補正因子を加えて、補正されたサービングセル及び隣接セルの測定結果を取得してもよい。例えば、式（７）の場合、式の左側に隣接セルの補正因子を加えて、補正された隣接セルの測定結果を取得し、式の右側にサービングセルの補正因子を加えて、補正された隣接セルの測定結果を取得する。
【０１９３】
ステップ１６０５：端末機器の第２の判断部１５０４は、所定の時間において、補正された測定結果がトリガイベントに対応するトリガ条件を満たしているか否かを判断する。
【０１９４】
本実施例では、所定の時間はＴＴＴであってもよい。
【０１９５】
具体的には、該ステップにおいて、補正された測定結果に基づいて、所定の時間内に該補正された測定結果が式（７）の入口条件又は式（８）の出口条件を満たしているか否かを判断する。
【０１９６】
ステップ１６０６：判断結果としてＴＴＴ内に式（７）の入口条件が満たされている場合、端末機器の第２の報告部１５０５は、基地局に真実の補正されていない測定結果を報告する。そして、基地局の第５の受信部１３０２は、測定報告を受信する。
【０１９７】
ステップ１６０７、１６０８：基地局の選択部１３０３は、測定報告に基づいて、ネットワーク側の他のエンティティと協議して、端末機器のハンドオーバのための目標セルを選択し、端末機器に選択された目標セルを含む情報を送信する。
【０１９８】
本実施例では、選択部１３０３は、受信された各セルの信号品質及び他の因子、例えばセルの負荷状況に基づいて、ネットワーク側の他のエンティティ、例えば隣接セルの基地局と協議して、総合的に考慮し、ハンドオーバの目標セルを判断してもよく、従来技術と類似するため、ここにその説明を省略される。
【０１９９】
また、端末機器に目標セルに関する設定情報を併せて送信してもよい。
【０２００】
ステップ１６０９：端末機器の第８の受信部１５０６は、該情報を受信して、ハンドオーバ部１５０７は、該情報に基づいてハンドオーバのための目標セルを決定する。
【０２０１】
例えば、イベントＡ４について、現在の該イベントのトリガ条件、即ち入口条件及び出口条件は、式（１）及び（２）に示されている。
【０２０２】
図１７は、本発明の実施例１５に係るセル選択方法のフローチャートである。図１７に示すように、該方法は以下のステップを含む。
【０２０３】
ステップ１７０１：基地局の受信部（図１２に図示せず）は、ネットワーク側の機能エンティティから送信された第４の補正因子集合を受信する。
【０２０４】
本実施例では、端末機器にイベントＡ４が設定されているため、ネットワーク側で隣接セルの補正因子集合を設定する必要がある。
【０２０５】
第４の補正因子集合に含まれる補正因子は、高速、中速及び普通速度の３つの補正因子にそれぞれ対応する。
【０２０６】
本実施例では、周波数について補正因子を設定してもよいし、セルについて補正因子を設定してもよいし、両者について設定してもよい。例えば、ここに設定された補正因子は、セルについての補正因子である。
【０２０７】
ステップ１７０２：基地局の第３の通知部１３０１は、端末機器に、第４の補正因子集合を通知する。そして、端末機器の第７の受信部１５０１は、第４の補正因子集合を受信する。
【０２０８】
ステップ１７０３：端末機器の第３の選択部１５０２は、その移動状態に基づいて、第４の補正因子集合から、対応する補正因子を選択する。
【０２０９】
本実施例では、その移動速度に基づいて、対応する補正因子を選択してもよい。
【０２１０】
ステップ１７０４：端末機器の第３の補正部１５０３は、選択された補正因子により、隣接セルの測定結果を補正して、補正された隣接セルの測定結果を取得する。
【０２１１】
本実施例では、式（１）及び（２）の左側に、選択された隣接セルの補正因子を加えて、補正された隣接セルの測定結果を取得してもよい。
【０２１２】
本実施例では、測定結果の補正において、元の補正因子、即ち隣接セルの周波数に対応する周波数オフセットＯｆｎ、隣接セルに対応するセルオフセットＯｃｎ、このイベントに対応するヒステリシス値Ｈｙｓをさらに考慮している。
【０２１３】
ステップ１７０５：端末機器の第２の判断部１５０４は、所定の時間において、補正された測定結果がトリガイベントに対応するトリガ条件を満たしているか否かを判断する。
【０２１４】
本実施例では、所定の時間はＴＴＴであってもよい。
【０２１５】
具体的には、該ステップにおいて、補正された測定結果に基づいて、所定の時間内に該補正された測定結果が式（１）の入口条件又は式（２）の出口条件を満たしているか否かを判断する。
【０２１６】
ステップ１７０６：判断結果としてＴＴＴ内に入口条件が満たされている場合、端末機器の第２の報告部１５０５は、基地局に測定結果を報告する。そして、基地局の第５の受信部１３０２は、測定報告を受信する。
【０２１７】
ステップ１７０７〜１７０９は、図１６に示されているステップ１６０７〜１６０９と類似し、ここにその説明を省略される。
【０２１８】
同様に、既存のプロトコルに規定されているイベントＡ５、Ａ６、Ｂ１及びＢ２は上記の方法を用いてもよく、ここにその説明を省略される。
【０２１９】
本発明の実施例は、基地局においてプログラムを実行する際に、コンピュータに、実施例１、５、７、１４及び１５に記載のセル選択方法を基地局において実行させる、コンピュータ読み取り可能なプログラム、をさらに提供する。
【０２２０】
本発明の実施例は、コンピュータに、実施例１、５、７、１４及び１５に記載のセル選択方法を基地局において実行させるためのコンピュータ読み取り可能なプログラムを記録する、記録媒体、をさらに提供する。
【０２２１】
本発明の実施例は、端末機器においてプログラムを実行する際に、コンピュータに、実施例２、５、９、１４及び１５に記載のセル選択方法を端末機器において実行させる、コンピュータ読み取り可能なプログラム、をさらに提供する。
【０２２２】
本発明の実施例は、コンピュータに、実施例２、５、９、１４及び１５に記載のセル選択方法を端末機器において実行させるためのコンピュータ読み取り可能なプログラムを記録する、記録媒体、をさらに提供する。
【０２２３】
本発明の実施例は、基地局においてプログラムを実行する際に、コンピュータに、実施例６、１４及び１５に記載の測定報告のトリガ方法を基地局において実行させる、コンピュータ読み取り可能なプログラム、をさらに提供する。
【０２２４】
本発明の実施例は、コンピュータに、実施例６、１４及び１５に記載の測定報告のトリガ方法を基地局において実行させるためのコンピュータ読み取り可能なプログラムを記録する、記録媒体、をさらに提供する。
【０２２５】
本発明の実施例は、端末機器においてプログラムを実行する際に、コンピュータに、実施例８、１４及び１５に記載の測定報告のトリガ方法を端末機器において実行させる、コンピュータ読み取り可能なプログラム、をさらに提供する。
【０２２６】
本発明の実施例は、コンピュータに、実施例８、１４及び１５に記載の測定報告のトリガ方法を端末機器において実行させるためのコンピュータ読み取り可能なプログラムを記録する、記録媒体、をさらに提供する。
【０２２７】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０２２８】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2014534747.tif 000003
【図２】
2014534747.tif 000004
【図３】
2014534747.tif 000005
【図４】
2014534747.tif 000006
【図５】
2014534747.tif 000007
【図６】
2014534747.tif 000008
【図７】
2014534747.tif 000009
【図８】
2014534747.tif 000010
【図９】
2014534747.tif 000011
【図１０】
2014534747.tif 000012
【図１１】
2014534747.tif 000013
【図１２】
2014534747.tif 000014
【図１３】
2014534747.tif 000015
【図１４】
2014534747.tif 000016
【図１５】
2014534747.tif 000017
【図１６】
2014534747.tif 000018
【図１７】
2014534747.tif 000019
【国際調査報告】
2014534747.tif 000020
2014534747.tif 000021
2014534747.tif 000022
2014534747.tif 000023
2014534747.tif 000024
2014534747.tif 000025